(57)【特許請求の範囲】
【請求項１】
電動送風機を有する本体と、
可視光が透過可能な集塵室及び前記集塵室に着脱可能な旋回部を有し、前記本体に着脱可能な集塵ユニットと、
前記本体に設けられ、発光部を有し、前記集塵ユニットが前記本体に取り付けられた状態で前記集塵室と対向する位置で前記集塵室に可視光を照射する光源ユニットと、
前記電動送風機及び前記光源ユニットを制御する制御手段と、
電源から前記電動送風機に給電するための電源コードと、
を備え、
前記旋回部は、前記電動送風機により発生する吸引風で吸い込まれた塵埃を含む空気を旋回させ、
前記集塵室は、前記旋回部で前記空気から遠心分離された前記塵埃を捕集し、
前記旋回部が前記集塵室に取り付けられた状態において、前記旋回部の一部は前記集塵室内に収容され、
前記集塵ユニットが前記本体に取り付けられた状態において、前記本体が進行する方向側である前側から見たとき、前記旋回部の中心は前記本体の中心から左あるいは右にずれた位置に配置されていて、かつ前記光源ユニットは前記本体の中心に対して前記旋回部の中心の反対側となる位置に配置され、
前記制御手段は、前記電源コードが電源に接続されたことを検出すると、前記発光部を点灯させることを特徴とする電気掃除機。
【請求項２】
前記電動送風機が駆動しているときに流れる電流を検出する電流検出手段を備え、
前記制御手段は、前記電流検出手段が電流を検出すると、前記発光部の点灯を停止することを特徴とする請求項１に記載の電気掃除機。
【請求項３】
前記制御手段は、前記電流検出手段が電流を検出してから一定の時間が経過した後、前記発光部の点灯を停止することを特徴とする請求項２に記載の電気掃除機。
【請求項４】
前記電動送風機が起動したことを検出する起動検出手段を備え、
前記制御手段は、前記起動検出手段が前記電動送風機の起動を検出すると、前記発光部の点灯を停止することを特徴とする請求項１に記載の電気掃除機。
【請求項５】
前記制御手段は、前記起動検出手段が前記電動送風機の起動を検出してから一定の時間が経過した後、前記発光部の点灯を停止することを特徴とする請求項４に記載の電気掃除機。
【請求項６】
前記電動送風機を起動する第１の操作スイッチと、
前記第１の操作スイッチが操作されたことを検出する操作スイッチ操作有無検出手段と、
を備え、
前記制御手段は、前記第１の操作スイッチが操作されたことを前記操作スイッチ操作有無検出手段が検出しないと、前記発光部の点灯を継続することを特徴とする請求項１に記載の電気掃除機。
【請求項７】
前記制御手段は、前記第１の操作スイッチが操作されたことを前記操作スイッチ操作有無検出手段が検出すると、前記発光部の点灯を停止することを特徴とする請求項６に記載の電気掃除機。
【請求項８】
前記制御手段は、前記第１の操作スイッチが操作されたことを前記操作スイッチ操作有無検出手段が検出してから一定の時間が経過した後、前記発光部の点灯を停止することを特徴とする請求項７に記載の電気掃除機。
【請求項９】
前記電動送風機の駆動を停止する第２の操作スイッチを備え、
前記操作スイッチ操作有無検出手段は、前記第２の操作スイッチが操作されたことを検出し、
前記制御手段は、前記第２の操作スイッチが操作されたことを前記操作スイッチ操作有無検出手段が検出すると、前記発光部を点滅させることを特徴とする請求項７または請求項８に記載の電気掃除機。
【請求項１０】
前記電動送風機の駆動を停止する第２の操作スイッチを備え、
前記操作スイッチ操作有無検出手段は、前記第２の操作スイッチが操作されたことを検出し、
前記制御手段は、前記第２の操作スイッチが操作されたことを前記操作スイッチ操作有無検出手段が検出すると、前記発光部を一定の時間点滅させた後に前記発光部を点灯させることを特徴とする請求項７または請求項８に記載の電気掃除機。
【請求項１１】
前記集塵ユニットの前記本体への着脱を検出する着脱検出手段を備え、
前記制御手段は、前記本体から前記集塵ユニットが取り外されたことを前記着脱検出手段が検出すると、前記発光部の点灯を停止することを特徴とする請求項１から請求項１０の何れか１項に記載の電気掃除機。
【請求項１２】
前記制御手段は、前記本体に前記集塵ユニットが取り付けられたことを前記着脱検出手段が検出すると、前記発光部を点灯させることを特徴とする請求項１１に記載の電気掃除機。
【請求項１３】
前記集塵ユニットが前記本体に取り付けられた状態において、前記本体が進行する方向側である前側から見たとき、前記旋回部の中心は前記集塵室の中心から左あるいは右にずれた位置に配置されていてかつ前記発光部は前記旋回部と重ならない位置に配置されていることを特徴とする請求項１から請求項１２の何れか１項に記載の電気掃除機。
【請求項１４】
前記発光部は、前記集塵ユニットに塵埃が蓄積される方向に沿って縦長に設けられていることを特徴とする請求項１から請求項１３の何れか１項に記載の電気掃除機。
【請求項１５】
前記集塵室は、可視光が透過可能な樹脂で形成され、
前記光源ユニットが前記集塵室に照射した可視光は、前記集塵室を透過可能であることを特徴とする請求項１から請求項１４の何れか１項に記載の電気掃除機。
【請求項１６】
前記本体は、前記集塵ユニットを収容する収容部を備え、
前記収容部の少なくとも前側は、可視光が透過可能な樹脂で形成され、
前記光源ユニットが照射した可視光は、前記集塵室と前記収容部とを透過して視認できることを特徴とする請求項１から請求項１５の何れか１項に記載の電気掃除機。
【請求項１７】
前記発光部は、光源と導光部材とを有し、
前記導光部材は可視光が透過可能な樹脂で形成されていることを特徴とする請求項１から請求項１６の何れか１項に記載の電気掃除機。
【請求項１８】
前記発光部は、複数の光源を有することを特徴とする請求項１から請求項１６の何れか１項に記載の電気掃除機。
【請求項１９】
前記集塵ユニットは、被清掃面に対し傾斜して前記本体に取り付け可能であり、
前記集塵室には、前記塵埃の捕集量の上限を示す上限表示が設けられており、
前記集塵ユニットが前記本体に取り付けられた状態において、前記本体が進行する方向側である前側で且つ前記集塵ユニットの前記本体への着脱方向と直交する方向から見たとき、前記発光部の上端は前記上限表示の高さを超えない位置に設けられていることを特徴とする請求項１から請求項１８の何れか１項に記載の電気掃除機。
【請求項２０】
前記集塵ユニットは、前記集塵ユニットの下方が前側にくるように被清掃面に対し傾斜して前記本体に取り付け可能であり、
前記光源ユニットは、前記集塵ユニットに沿って前記被清掃面に対し傾斜して設けられ、
前記発光部は、斜め上方へ向けて発光することを特徴とする請求項１から請求項１９の何れか１項に記載の電気掃除機。
【発明の詳細な説明】
【技術分野】
【０００１】
本発明は集塵ユニットを備えた電気掃除機に関する。
【背景技術】
【０００２】
従来から、被清掃面から吸引した塵埃を含んだ空気を、旋回部で塵埃と空気に遠心分離して、分離した塵埃を集塵室に捕集するサイクロン式電気掃除機があり、使用者が集塵室内に捕集した塵埃の量を外部から把握できるように、集塵室内を照らす照射部が設けられているものが知られている（例えば、特許文献１参照）。
【先行技術文献】
【特許文献】
【０００３】
【特許文献１】特開２０１１−１７７２６８号公報（第４頁、図１）
【発明の概要】
【発明が解決しようとする課題】
【０００４】
特許文献１に記載の電気掃除機は、集塵室が収容される本体の壁面中央付近に光源を有し、導光部材を用いて集塵室の内部を明るくして集塵室内を視認可能にしている。それによって、捕集した塵埃を確認できるようになる。
【０００５】
だが、特許文献１に記載の電気掃除機のような構成は、上方から集塵室内を照射するだけであるので、塵埃が溜まっていることは視認できるが、塵埃を廃棄する時期を判断することはできない。このため、まだ塵埃を捕集できる余裕がある段階で、使用者が塵埃を廃棄しようとして集塵室を取り外したが、その状態で集塵室をよく見ると塵埃の捕集に余裕があることがわかるといったように、使用者の手間が増えてしまうという課題があった。
【０００６】
本発明は、かかる課題を解決するために、使用者が集塵室に捕集された塵埃の量を容易に確認でき、塵埃を廃棄する時期が判断できる電気掃除機を提供することを目的とする。
【課題を解決するための手段】
【０００７】
課題を解決する本発明に係る電気掃除機は、電動送風機を有する本体と、本体に着脱可能な集塵ユニットと、本体に設けられた光源ユニットと、電動送風機及び光源ユニットを制御する制御手段と、電源から電動送風機に給電するための電源コードと、を備える。集塵ユニットは、可視光が透過可能な集塵室及び集塵室に着脱可能な旋回部を有する。光源ユニットは、発光部を有し、集塵ユニットが本体に取り付けられた状態で集塵室と対向する位置で集塵室に可視光を照射する。旋回部は、電動送風機により発生する吸引風で吸い込まれた塵埃を含む空気を旋回させる。集塵室は、旋回部で空気から遠心分離された塵埃を捕集する。旋回部が集塵室に取り付けられた状態において、旋回部の一部は集塵室内に収容される。集塵ユニットが本体に取り付けられた状態において、本体が進行する方向側である前側から見たとき、旋回部の中心は本体の中心から左あるいは右にずれた位置に配置される。光源ユニットは本体の中心に対して旋回部の中心の反対側となる位置に配置されている。制御手段は、電源コードが電源に接続されたことを検出すると、発光部を点灯させる。
【発明の効果】
【０００８】
本発明において、集塵ユニットが本体に取り付けられた状態で集塵室と対向する位置に、集塵室に向かって可視光を照射する光源ユニットが設けられる。集塵ユニットが本体に取り付けられた状態において、本体が進行する方向側である前側から見たとき、旋回部の中心は本体の中心から左あるいは右にずれた位置に配置される。光源ユニットは本体の中心に対して旋回部の中心の反対側となる位置に配置される。制御手段は、電源コードが電源に接続されたことを検出すると、発光部を点灯させる。このため、光源ユニットの発光部が発する可視光が旋回部に遮られることがなく、使用者の視認性が確保できる。
【０００９】
よって、集塵室に捕集された塵埃の量を容易に確認できるので、使用者が確実に集塵室内にたまった塵埃を廃棄することができる。
【図面の簡単な説明】
【００１０】
【図１】本発明の実施の形態１に係る電気掃除機の概略構成を示す斜視図である。
【図２】本発明の実施の形態１に係る電気掃除機の本体の側面図である。
【図３】本発明の実施の形態１に係る電気掃除機の本体の中心を前後方向で切断し側面から見た断面図である。
【図４】本発明の実施の形態１に係る電気掃除機の本体を、図２に示す断面Ａ−Ａで切断した断面図である。
【図５】本発明の実施の形態１に係る電気掃除機の本体から集塵ユニットを少し引き出した状態を示す斜視図である。
【図６】本発明の実施の形態１に係る電気掃除機の集塵ユニットを示す斜視図（ａ）及び本発明の実施の形態１に係る電気掃除機の集塵ユニットから集塵室を外した状態を示す斜視図（ｂ）である。
【図７】本発明の実施の形態１に係る電気掃除機の集塵ユニットを、集塵ユニット吸込み口側を前側として前側から見た図（ａ）及び本発明の実施の形態１に係る電気掃除機の集塵ユニットを旋回部の中心を通る位置で切断して前側から見た断面図（ｂ）である。
【図８】本発明の実施の形態１に係る電気掃除機の集塵ユニットを側方側から見た図（ａ）及び本発明の実施の形態１に係る電気掃除機の集塵ユニットを後側から見た図（ｂ）である。
【図９】本発明の実施の形態１に係る電気掃除機の本体を、前後方向且つ光源ユニットを通る箇所で切断し側面から見た断面図である。
【図１０】本発明の実施の形態１に係る電気掃除機の本体から集塵ユニットを取り外した状態で光源ユニットを見た斜視図である。
【図１１】図９の断面図の要部拡大図である。
【図１２】本発明の実施の形態１に係る電気掃除機の本体を、本体が進行する方向側である前側の矢印Ｃ方向から見た図である。
【図１３】図２に示す断面Ｂ−Ｂで切断した面を、矢印Ｃ方向から見た断面図である。
【図１４】本発明の実施の形態１に係る電気掃除機の本体を、本体が進行する方向側である前側の矢印Ｃ方向から見て、塵埃が集塵室の半分程度蓄積した状態の発光部を表す概略図（ａ）及び本発明の実施の形態１に係る電気掃除機の本体を、本体が進行する方向側である前側の矢印Ｃ方向から見て、塵埃が上限まで蓄積した状態の発光部を表す概略図（ｂ）である。
【図１５】本発明の実施の形態１に係る電気掃除機の電気的構成を示すブロック図である。
【図１６】本発明の実施の形態１に係る電気掃除機の動作を示すフローチャートである。
【図１７】本発明の実施の形態２に係る電気掃除機の電気的構成を示すブロック図である。
【図１８】本発明の実施の形態２に係る電気掃除機の動作を示すフローチャートである。
【図１９】本発明の実施の形態３に係る電気掃除機の電気的構成を示すブロック図である。
【図２０】本発明の実施の形態３に係る電気掃除機の動作を示すフローチャートである。
【図２１】本発明の実施の形態４に係る電気掃除機の電気的構成を示すブロック図である。
【図２２】本発明の実施の形態４に係る電気掃除機の動作を示すフローチャートである。
【図２３】本発明の実施の形態５に係る電気掃除機の電気的構成を示すブロック図である。
【図２４】本発明の実施の形態５に係る電気掃除機の動作を示すフローチャートである。
【図２５】本発明の実施の形態６に係る電気掃除機の電気的構成を示すブロック図である。
【図２６】本発明の実施の形態６に係る電気掃除機の動作を示すフローチャートである。
【発明を実施するための形態】
【００１１】
実施の形態１．
（電気掃除機の構成）
図１は本発明の実施の形態１に係る電気掃除機の概略構成を示す斜視図、図２は本発明の実施の形態１に係る電気掃除機の本体の側面図、図３は本発明の実施の形態１に係る電気掃除機の本体の中心を前後方向で切断し側面から見た断面図、図４は本発明の実施の形態１に係る電気掃除機の本体を、図２に示す断面Ａ−Ａで切断した断面図、図５は本発明の実施の形態１に係る電気掃除機の本体から集塵ユニットを少し引き出した状態を示す斜視図である。
以下、図１から図５により本発明の実施の形態１に係る電気掃除機の構成について説明する。
なお、それぞれの図において、同じ部分または相当する部分には同じ符号を付し、一部の説明を省略することがある。
【００１２】
図１に示すように、１００は本発明の実施の形態１に係る電気掃除機である。電気掃除機１００は、吸込具１と延長管２と把持部３とホース５とから成るホース体と、電気掃除機本体６と、集塵ユニット８と、で構成される。把持部３は、操作部４を備える。
【００１３】
吸込具１の外郭は、射出成形で形成された硬質の樹脂部品で構成されている。吸込具１は、後述する電動送風機２３の稼働により発生する吸引風により、例えば床面である被清掃面にある塵埃を空気と一緒に吸引するものである。
【００１４】
延長管２も吸込具１と同様、射出成形で形成された硬質の樹脂部品で外郭が構成されている。延長管２は、図示しない伸縮構造を有し、一端が吸込具１と接続され、他端が把持部３と接続されて、吸引風の風路の一部を構成している。
【００１５】
把持部３の外郭も、射出成形で形成された硬質の樹脂部品で構成されている。把持部３の外郭は、使用者が握りやすくするため、使用者が握る箇所の一部に軟質の樹脂部品が使用されてもよい。把持部３には、操作部４が設けられている。操作部４は、後述する電動送風機２３を起動させたり、電動送風機２３の駆動を停止させたりする操作スイッチ（第１のスイッチ）４ａ及び操作スイッチ（第２のスイッチ）４ｄ、電動送風機２３の駆動力を変更する操作スイッチ４ｂ及び操作スイッチ４ｃを備える。
【００１６】
把持部３の一部も、吸引風の風路の一部を構成している。把持部３は、延長管２が接続されている側の他端がホース５と接続される。ホース５は、中空で蛇腹のような可撓性を有する軟質樹脂部品で構成されている。
【００１７】
電気掃除機本体６の外郭は射出成形で形成された樹脂部品で構成されている。電気掃除機本体６には、電気掃除機本体６を持ち運ぶときに使用されるハンドル９が設けられている。ハンドル９も射出成形で形成された樹脂部品で形成されている。
【００１８】
また、電気掃除機本体６には、集塵ユニット８を収容する集塵ユニット収容部６ａが設けられている。集塵ユニット収容部６ａは、可視光が透過可能な透明あるいは半透明の樹脂で形成されている。使用される樹脂としては、密度（比重）が０．９ｇ／ｃｍ３未満で透明度９０％以上のポリメチルペンテン（ＰＭＰ）や密度（比重）が１．０８ｇ／ｃｍ３程度で透明度８５％程度の透明ＡＢＳが考えられる。
【００１９】
集塵ユニット収容部６ａは、側面方向から見た箇所も透明あるいは半透明の樹脂で形成されているが、前側から見える箇所だけを透明あるいは半透明の樹脂で形成するようにしてもよい。
【００２０】
また、透明樹脂の表面に蒸着加工等を施し、可視光が透過可能なハーフミラー状になるように処理してもよい。但し、蒸着加工するときは、樹脂と表面に形成される薄膜との相性の関係から、ポリメチルペンテン（ＰＭＰ）ではなく透明ＡＢＳを使用する方がよい場合もある。
【００２１】
集塵ユニット収容部６ａには接続部７が設けられる。一端が把持部３と接続されているホース５の他端に設けられたホース挿入部５ａを接続部７に挿入することで、ホース体が電気掃除機本体６に接続される。
【００２２】
使用者が清掃するときに、電気掃除機本体６を被清掃面（床面）上で取り回しやすくするため、電気掃除機本体６の下面には進行方向を変えることができるキャスタータイプの前輪１０を、電気掃除機本体６の両側面には口径の大きい後輪１１を備えている。
【００２３】
図２に示すように、集塵ユニット８は、被清掃面（床面）に対して傾斜して集塵ユニット収容部６ａに収容、取り付けられている。集塵ユニット８は、集塵ユニット８側に設けられた図示しない係止部が、電気掃除機本体６側に設けられた図示しない係合部に係止して固定される。係止部は図示しない付勢手段により係止するように付勢されている。
【００２４】
集塵ユニット８は、集塵ユニット８の上部に設けられた係止解除ボタン３８を操作することで、集塵ユニット８側に設けられた図示しない係止部が、電気掃除機本体６側に設けられた図示しない係合部から外れ、取り外し可能な状態となる。
【００２５】
その状態から、集塵ユニット８に設けられた手掛け（指掛け）部８ａに手（指）を掛けて、図２に示す矢印Ｄの方向へ引き出すと、図５に示すように集塵ユニット８は集塵ユニット収容部６ａから取り外される。なお、集塵ユニット８の構成については、後段で詳しく説明する。
【００２６】
図３、図４に示すように電気掃除機本体６内の後方寄りに電動送風機２３が設けられている。電動送風機２３は、前述のように、吸込具１から塵埃を含んだ空気を吸引するための吸引風を発生させるものである。
【００２７】
また、電気掃除機本体６内の後方寄りで、電動送風機２３の側方には制御基板２４が設けられている。制御基板２４に実装された後述するマイコン５１に包含される制御手段５２は、操作部４に設けられた操作スイッチ（第１の操作スイッチ）４ａの操作によって電動送風機２３を起動させたり、操作スイッチ（第２の操作スイッチ）４ｄの操作によって電動送風機２３の駆動を停止させたりして、電動送風機２３の動作を制御するものである。
【００２８】
電動送風機２３を挟み、制御基板２４の反対側に電源コード２１を巻き取り保持するコードリール２２が設けられている。電源コード２１は、図２に示す電源プラグ１２を持って引き出すことにより本体外へ引き出される。
【００２９】
コードリール２２は、図示しない付勢手段で巻き取り方向に付勢されている。コードリール２２は、図示しないクラッチ機構を有しており電源コード２１は引き出された位置で止まるようになっている。引き出された電源コード２１は、図２に示す電源コード巻き取りボタン１３を操作することによりコードリール２２のクラッチ機構が解除され、コードリール２２の巻き取り方向の付勢力により巻き取られ保持される。
【００３０】
（集塵ユニットの構成）
図６（ａ）は本発明の実施の形態１に係る電気掃除機の集塵ユニットを示す斜視図、図６（ｂ）は本発明の実施の形態１に係る電気掃除機の集塵ユニットから集塵室を外した状態を示す斜視図、図７（ａ）は本発明の実施の形態１に係る電気掃除機の集塵ユニットを、集塵ユニット吸込み口側を前側として前側から見た図、図７（ｂ）本発明の実施の形態１に係る電気掃除機の集塵ユニットを旋回部の中心を通る位置で切断して前側から見た断面図、図８（ａ）は本発明の実施の形態１に係る電気掃除機の集塵ユニットを側方側から見た図、図８（ｂ）は本発明の実施の形態１に係る電気掃除機の集塵ユニットを後側から見た図である。
以下、図６から図８により本発明の実施の形態１に係る電気掃除機の集塵ユニットの構成について詳しく説明する。
なお、それぞれの図において、同じ部分または相当する部分には同じ符号を付し、一部の説明を省略することがある。
【００３１】
図６から図８に示すように、集塵ユニット８は、蓋部８ｃを備えた分離可能な旋回部３３と集塵ユニット上部８ｂと集塵室３２とで構成されたサイクロン式の集塵ユニットである。集塵ユニット８の蓋部８ｃにはシールパッキン４０が取り付けられていて、このシールパッキン４０を集塵室３２の開口上部に挿入することで集塵室３２が閉塞される。
【００３２】
この状態で蓋部８ｃは、集塵室３２に設けられている係止部３２ａにより係止され固定される。係止部３２ａはレバー形状で、図示しない回動軸で軸止される。係止部３２ａは、図示しない付勢手段で係止方向に付勢され、係止方向に回動して蓋部８ｃに掛かり、集塵ユニット上部８ｂと集塵室３２とが固定される。付勢手段に抗して係止部３２ａを回動させると係止状態が解除され、集塵ユニット上部８ｂが集塵室３２から取り外せるようになる。
【００３３】
集塵ユニット上部８ｂには、図３及び図５に示す接続部７の連通口７ａと連通し空気が通気可能となる集塵ユニット吸込み口３１が設けられる。集塵ユニット吸込み口３１の裏、集塵ユニット上部８ｂの後側には、図３に示す本体吸込み口２５と連通し空気が通気可能となる集塵ユニット排出口３７が設けられている。
【００３４】
旋回部３３の外壁には、空気と一緒に吸引されて旋回部３３で分離された塵埃を集塵室３２内に排出するための塵埃排出口ａ３４が設けられている。塵埃排出口ａ３４から比較的大きい塵埃が排出される。塵埃排出口ａ３４から排出されなかった小さめの細かい塵埃は、旋回部３３の逆円錐状となっている下端に設けられている塵埃排出口ｂ３５から集塵室３２内に排出される。
【００３５】
旋回部３３の上部の中心には、複数の小孔３６ａが設けられた排気筒３６が備えられている。塵埃が分離された空気は、複数の小孔３６ａを通過し集塵ユニット排出口３７から電気掃除機本体６側に吸引される。
【００３６】
ここで、図１及び図３を使い、空気の流れ、動作を詳しく説明する。把持部３に設けられた操作部４の操作スイッチ（第１の操作スイッチ）４ａを操作すると、電動送風機２３が駆動し吸引風を発生させる。
【００３７】
その吸引風により、被清掃面（床面）にある塵埃を空気と一緒に吸込具１で吸引すると、塵埃を含んだ空気が延長管２、把持部３の一部、ホース５を経由して、連通口７ａと連通した集塵ユニット吸込み口３１から集塵ユニット８内に吸引される。
【００３８】
集塵ユニット８内に吸引された塵埃を含んだ空気は、旋回部３３で塵埃が遠心分離されながら上方から下方へ旋回して下りていく。その過程で、比較的大きい塵埃が塵埃排出口ａ３４から集塵室３２内に排出される。塵埃を含んだ空気は、さらに旋回部３３の逆円錐状となっている下端に向けて旋回して、小さめの細かい塵埃が塵埃排出口ｂ３５から集塵室３２内に排出される。
【００３９】
塵埃が分離された空気は旋回部３３内を上昇し、排気筒３６に設けられた複数の小孔３６ａを通過し集塵ユニット排出口３７から本体吸込み口２５に吸引され、電気掃除機本体６側に入る。
【００４０】
電気掃除機本体６内に吸引された空気は、集塵ユニット８で分離しきれなかった微細な塵埃を含んでいる可能性がある。電気掃除機本体６内に吸引された空気は、微細な塵埃で電動送風機２３が不具合を起こさないよう、電動送風機２３に吸引される前に吸気側フィルター２６を通過させられ、微細な塵埃が捕集される。吸気側フィルター２６はＨＥＰＡフィルターという、塵埃捕集効率の高いフィルターで構成されている。
【００４１】
吸気側フィルター２６を通過し電動送風機２３に吸引された後、電動送風機２３から排出された空気は、電気掃除機本体６外へ排出される前に、さらに排気側フィルター２７を通過する。
【００４２】
排気側フィルター２７はＵＬＰＡフィルターという、ＨＥＰＡフィルターよりも塵埃捕集効率が高いフィルターで構成されている。これは電気掃除機本体６外へ排出される空気をよりきれいにするためのものである。
【００４３】
排気側フィルター２７を通過した空気は、電気掃除機本体６の底面付近等を通過して本体排気口２８から電気掃除機本体６外へ排出される。
【００４４】
ここから、集塵ユニット８の説明に戻る。集塵ユニット吸込み口３１は、集塵ユニット８の左右方向のほぼ中央に設けられている。集塵ユニット８は、塵埃を含んだ空気を旋回させて塵埃と空気とを遠心分離するサイクロン式の集塵ユニットである。旋回性能を最大限発揮させるため、集塵ユニット吸込み口３１の内壁の一部と旋回部３３の内壁の一部が接線となるように配置されている。
【００４５】
そのため、旋回部３３の中心は、前側（集塵ユニット吸込み口３１側）から見ると左側にずれている。なお、旋回部３３の旋回方向を反時計回りにする場合は、左側にずれるが、旋回部３３の旋回方向を時計回りにする場合は、右側にずれることになる。旋回方向は何れでも設定可能であるので、それにより旋回部３３の中心は左右どちらかにずれて設定される。
【００４６】
旋回部３３は、その一部が集塵室３２内に収容されるが、旋回部３３の中心が左側にずれているので、集塵室３２内の右側に空間３２ｂができる。この空間３２ｂに、主に塵埃が捕集される。
【００４７】
集塵室３２は射出成形で形成された樹脂部品である。集塵室３２は、底の有るカップ状であり、捕集された塵埃を視認可能にするため、可視光が透過可能な透明あるいは半透明の樹脂で形成されている。
【００４８】
使用される樹脂としては、ポリメチルペンテン（ＰＭＰ）や透明ＡＢＳが考えられるが、集塵室３２は塵埃の廃棄等で使用者が持って作業することが多いため、取り扱いやすさを考慮すると、透明度が９０％以上と高く、密度(比重)が０．９ｇ／ｃｍ３未満と軽いポリメチルペンテン（ＰＭＰ）が好適である。
【００４９】
集塵室３２の前側には、塵埃を排気する目安となる塵埃廃棄目安表示（塵埃捕集量の上限表示）３９が設けられている。
【００５０】
集塵室３２及び集塵ユニット収容部６ａは、捕集された塵埃が視認できるよう、前述のように可視光が透過可能な樹脂で形成されている。電気掃除機１００を使用しているときは、集塵室３２及び集塵ユニット収容部６ａは被清掃面（床面）近くの低い位置にある。
【００５１】
そのため、電気掃除機１００を使用しているときは、捕集された塵埃の視認性があまりよくない。そこで捕集された塵埃の視認性を高くするために、集塵室３２に向かって可視光を照射する光源ユニット４１を電気掃除機本体６に設けている。
【００５２】
（光源ユニットについて）
ここから、光源ユニット４１の構成、配置等を図９から図１３により説明する。図９は本発明の実施の形態１に係る電気掃除機の本体を、前後方向且つ光源ユニットを通る箇所で切断し側面から見た断面図である。図１０は本発明の実施の形態１に係る電気掃除機の本体から集塵ユニットを取り外した状態で光源ユニットを見た斜視図である。図１１は図９の断面図の要部拡大図である。図１２は本発明の実施の形態１に係る電気掃除機の本体を、本体が進行する方向側である前側の矢印Ｃ方向から見た図である。図１３は図２に示す断面Ｂ−Ｂで切断した面を、矢印Ｃ方向から見た断面図である。
【００５３】
図９から図１１に示すように、光源ユニット４１は集塵ユニット８の後側の電気掃除機本体６に配置されている。光源ユニット４１は、図１１に示すように１つの光源４２と導光部材４３とで構成され、発光部４３ｂを点灯させる。
【００５４】
なお、光源４２は基板に実装されたＬＥＤであるが、ＬＥＤに限定されるものではなく、他の発光体を使用してもよい。また、この実施の形態では光源ユニット４１は、１つの光源４２と導光部材４３とで構成したものとして説明したが、これに限定されるものではなく、導光部材４３の代わりに導光部材４３の長さに相当する複数の光源を並べ、発光部４３ｂを構成するようにしても同様の発光性能を確保できる。光源ユニット４１の発光制御については後段で詳しく説明する。
【００５５】
導光部材４３は射出成形で形成された樹脂部品である。導光部材４３は、光を導くため可視光が透過可能な透明あるいは半透明の樹脂で形成された樹脂部品である。導光部材４３には、例えば発光させたい側の反対側にメッキ等で反射膜が設けられる。使用される樹脂としては、ポリメチルペンテン（ＰＭＰ）や透明ＡＢＳ等が考えられる。導光部材４３は、図１０に示すように集塵ユニット収容部６ａ内の後側の壁面に露出している。
【００５６】
図１１に示すように、導光部材４３の屈曲点が発光部起点４３ａ（発光部の上端）であり、その点から下方が発光部４３ｂとなる。発光部起点４３ａは、発光部起点４３ａを旋回部の中心を通る線と直交する矢印Ｅの方向から見たとき、集塵室３２に設けられた塵埃廃棄目安表示（塵埃捕集量の上限表示）３９の上端とほほ同じ位置、言い換えると塵埃廃棄目安表示（塵埃捕集量の上限表示）３９の上端を超えない位置になるように設けられている。
【００５７】
また、光源ユニット４１は図１３に示すように、電気掃除機本体６の中心を挟んで旋回部３３の中心と反対側の空間３２ｂの後方になるように設けられている。これは、旋回部３３が左にずれているので、旋回部３３と光源ユニット４１の発光部４３ｂが重ならないようにするためである。
【００５８】
当然ながら旋回部３３が電気掃除機本体６の中心から右にずれていれば、空間３２ｂは電気掃除機本体６の中心の左側にできるので、発光部４３ｂも電気掃除機本体６の中心の左側に設けられる。
【００５９】
さらに、前述したように空間３２ｂに主に塵埃が捕集される。光源ユニット４１は集塵室３２の主に塵埃が捕集される空間３２ｂに向けて可視光を照射するように配置されている。これにより、集塵室３２に捕集された塵埃へ確実に可視光を照射することができ、塵埃の状況を把握しやすくなる。
【００６０】
それから、図９に示すように、集塵ユニット８は下方が前側にくるように傾斜して集塵ユニット収容部６ａに収容されている。光源ユニット４１は、その傾斜に沿って設けられているので、発光部４３ｂは前側の斜め上方へ向けて発光することになる。
【００６１】
集塵ユニット８の集塵室３２は被清掃面（床面）近くの低い位置で、集塵ユニット収容部６ａに収容されている。集塵ユニット８が傾斜していて、発光部４３ｂが前側の斜め上方へ向けて発光することで、使用者は清掃中の立っている状態からでも発光が視認できて塵埃の状況を把握しやすくなっている。
【００６２】
発光部４３ｂは、塵埃が捕集されていない状態では、図１２に示すように発光部起点４３ａから下方全域が集塵室３２及び集塵ユニット収容部６ａを透過して発光している。
【００６３】
塵埃が捕集され集塵室３２に蓄積されていくと、蓄積された塵埃が遮蔽物となり発光部４３ｂが下方から上方に向かって徐々に隠れていく。例えば図１４（ａ）に示すように塵埃が集塵室３２の半分程度蓄積した状態では、蓄積された塵埃により発光部４３ｂが半分程度隠れる。
【００６４】
よって、塵埃の蓄積状況を使用者が容易に把握できるようになる。このように、発光部４３ｂの隠れ具合で塵埃の蓄積状況を把握するため、発光部４３ｂは塵埃の蓄積方向に沿って縦長に設けられている。
【００６５】
さらに、発光部起点４３ａを塵埃廃棄目安表示（塵埃捕集量の上限表示）３９の上端を超えない位置になるように設けることで、図１１に示すように塵埃を塵埃捕集量の上限まで捕集すると、図１４（ｂ）に示すように蓄積された塵埃により発光部４３ｂの全域が隠れることから、使用者が塵埃の廃棄時期がきたことを容易に確認でき、塵埃の廃棄を的確に行うことができる。
【００６６】
それから、図９及び図１１に示すように矢印Ｅの方向から見たとき、塵埃廃棄目安表示（塵埃捕集量の上限表示）３９の上端と、塵埃排出口ａ３４の下端がほぼ同じ高さとなっている。これは、捕集、蓄積された塵埃によって塵埃排出口ａ３４が塞がれることがないようにするためである。
【００６７】
（光源ユニットの発光制御）
ここから、光源ユニットの発光の制御を図１５、図１６により説明する。図１５は本発明の実施の形態１に係る電気掃除機の電気的構成を示すブロック図である。図１６は本発明の実施の形態１に係る電気掃除機の動作を示すフローチャートである。
【００６８】
図１５に示す電動送風機２３は商用電源９９と直列に接続される。商用電源９９は、前述の電源コード２１の電源プラグ１２をコンセントに接続することで、電源が供給可能な状態となる。
【００６９】
電源が供給可能な状態、つまり電源コード２１の電源プラグ１２をコンセントに接続した状態となったことを電源同期検出手段５３により検出する。電源同期検出手段５３は商用電源９９の同期ポイント（ゼロクロスポイント）を検出するものである。
【００７０】
電源が供給可能な状態となっても、そのまま電動送風機２３が駆動する訳ではなく、電動送風機２３と直列に接続された双方向サイリスタ５４によって、電動送風機２３に電圧が印加されないようになっている。
【００７１】
操作スイッチ（第１のスイッチ）４ａは、電動送風機２３を起動させる操作を行うスイッチであり、操作スイッチ（第１のスイッチ）４ａを操作すると、制御手段５２が双方向サイリスタ５４のゲートに信号（電流）を入力するように制御する。その信号（電流）により双方向サイリスタ５４が通電可能な状態となり、電動送風機２３に電圧が印加されるようになる。
【００７２】
本発明の実施の形態１に係る電気掃除機は、前述の制御基板２４に、他の電子部品とともに実装されているマイコン５１を備える。図１５に示すように、マイコン５１は制御手段５２を包含している。
【００７３】
制御手段５２は、電気掃除機１００を動作させる全ての電気的制御、例えば光源ユニット４１の発光や発光停止、操作スイッチ４ａや４ｄの操作により電動送風機２３の起動、駆動停止を行うものである。また、マイコン５１は集塵ユニット着脱検出手段５６を包含している。
【００７４】
集塵ユニット着脱検出手段５６は、電気掃除機本体６に設けられた集塵ユニット着脱センサー５５からの検知信号によって、電気掃除機本体６から集塵ユニット８が取り外された、あるいは電気掃除機本体６に集塵ユニット８が取り付けられたことを検出するものである。電気掃除機本体６に設けられた集塵ユニット着脱センサー５５は、電気掃除機本体６から集塵ユニット８が取り外されたこと、電気掃除機本体６に集塵ユニット８が取り付けられたことを検知する。
【００７５】
次に図１６で動作を説明する。まず、電源コード２１の電源プラグ１２がコンセントに接続されると、電源同期検出手段５３が商用電源９９の同期ポイント（ゼロクロスポイント）を検出する（ＳＴ１）。
【００７６】
電源同期検出手段５３が商用電源９９の同期ポイント（ゼロクロスポイント）を検出すると、商用電源９９に接続されたことを制御手段５２が確認（ＳＴ２）し、制御手段５２が光源ユニット４１の発光部４３ｂを点灯させる（ＳＴ３）。
【００７７】
この状態で、例えば塵埃が集塵室３２の半分程度蓄積した状態、言い替えると蓄積された塵埃により発光部４３ｂが半分程度隠れている状態では、使用者が光源ユニット４１の発光部４３ｂが点灯していることを視認でき、まだ塵埃を廃棄しなくても掃除ができると判断でき、集塵ユニット８を取り外すことなく掃除を行うことができる。
【００７８】
この状態で、例えば塵埃を集塵室３２の塵埃捕集量の上限まで捕集した状態、言い替えると蓄積された塵埃により発光部４３ｂの全域が隠れている状態では、使用者が光源ユニット４１の発光部４３ｂが点灯していることを視認できないので、掃除を行う前に塵埃を廃棄しなければならないと判断でき、集塵ユニット８を取り外す。
【００７９】
集塵ユニット８が取り外されると、集塵ユニット着脱センサー５５がその信号を集塵ユニット着脱検出手段５６に送り、集塵ユニット着脱検出手段５６は、集塵ユニット８が取り外されたことを検出（ＳＴ４）し、制御手段５２が光源ユニット４１の発光部４３ｂの点灯を停止（ＳＴ５）する。
【００８０】
集塵ユニット８から塵埃を廃棄した後、再び集塵ユニット８を取り付けると、集塵ユニット着脱センサー５５がその信号を集塵ユニット着脱検出手段５６に送り、集塵ユニット着脱検出手段５６が、集塵ユニット８が取り付けられたことを検出（ＳＴ６）し、ＳＴ３に戻り、制御手段５２が光源ユニット４１の発光部４３ｂを点灯させる。
【００８１】
以上のように、サイクロン式集塵ユニットの旋回部と光源ユニットの発光部とが重ならないように構成した電気掃除機で、商用電源が供給されたことを検出して集塵ユニットに向けて光源ユニットの発光部を点灯するようにしたので、掃除の開始前に集塵ユニットの塵埃捕集状態を確認でき、使用者が容易に塵埃の廃棄が必要か否かを判断できるようになり利便性が向上する。
【００８２】
また、集塵ユニットを取り外すと光源ユニットの発光部の点灯を停止するようにしたので、不要な電力の消費を抑えることができる。さらに、集塵ユニットを取り付けると再び光源ユニットの発光部を点灯するようにしたので、掃除により捕集された塵埃を使用者が確認できるようになる。
【００８３】
実施の形態２．
（光源ユニットの発光制御）
本発明の実施の形態２に係る電気掃除機は、本発明の実施の形態１に係る電気掃除機の構成に、さらに電流センサー６２と電流検出手段６３を備える構成であり、それ以外の電気掃除機本体６の構造は本発明の実施の形態１に係る電気掃除機と同様の構成である。
【００８４】
よって、ここでは本発明の実施の形態１に係る電気掃除機と異なる箇所について図１７によって説明し、動作については図１８によって説明して、それ以外の電気掃除機本体６の説明は省略する。
【００８５】
図１７は本発明の実施の形態２に係る電気掃除機の電気的構成を示すブロック図である。図１８は本発明の実施の形態２に係る電気掃除機の動作を示すフローチャートである。
【００８６】
電流センサー６２は、電動送風機２３が起動し駆動しているときに流れる電流を検知するセンサーである。電流検出手段６３は、電流センサー６２の検知結果を基に電流が流れたことを検出する。電流検出手段６３は、制御手段５２とともにマイコン６１に包含される。
【００８７】
次に図１８で動作を説明する。まず、電源コード２１の電源プラグ１２がコンセントに接続されると、電源同期検出手段５３が商用電源９９の同期ポイント（ゼロクロスポイント）を検出する（ＳＴ１１）。
【００８８】
電源同期検出手段５３が商用電源９９の同期ポイント（ゼロクロスポイント）を検出すると、商用電源９９に接続されたことを制御手段５２が確認（ＳＴ１２）し、制御手段５２が光源ユニット４１の発光部４３ｂを点灯させる（ＳＴ１３）。
【００８９】
この状態で、例えば塵埃が集塵室３２の半分程度蓄積した状態、言い替えると蓄積された塵埃により発光部４３ｂが半分程度隠れている状態では、使用者が光源ユニット４１の発光部４３ｂが点灯していることを視認でき、まだ塵埃を廃棄しなくても掃除ができると判断でき、集塵ユニット８を取り外すことなく掃除を行うことができる。
【００９０】
この状態で、例えば塵埃を集塵室３２の塵埃捕集量の上限まで捕集した状態、言い替えると蓄積された塵埃により発光部４３ｂの全域が隠れている状態では、使用者が光源ユニット４１の発光部４３ｂが点灯していることを視認できないので、掃除を行う前に塵埃を廃棄しなければならないと判断でき、集塵ユニット８を取り外す。
【００９１】
集塵ユニット８が取り外されると、集塵ユニット着脱センサー５５がその信号を集塵ユニット着脱検出手段５６に送り、集塵ユニット着脱検出手段５６は、集塵ユニット８が取り外されたことを検出（ＳＴ１４）し、制御手段５２が光源ユニット４１の発光部４３ｂの点灯を停止（ＳＴ２０）する。
【００９２】
集塵ユニット８から塵埃を廃棄した後、再び集塵ユニット８を取り付けると、集塵ユニット着脱センサー５５がその信号を集塵ユニット着脱検出手段５６に送り、集塵ユニット着脱検出手段５６が、集塵ユニット８が取り付けられたことを検出（ＳＴ２１）し、ＳＴ１３に戻り、制御手段５２が光源ユニット４１の発光部４３ｂを点灯させる。
【００９３】
集塵ユニット８が取り外されない、あるいは再び取り付けられてから、操作スイッチ（第１のスイッチ）４ａを操作（ＳＴ１５）すると、制御手段５２が電動送風機２３を起動し駆動が開始（ＳＴ１６）される。
【００９４】
電動送風機２３が駆動すると、電流センサー６２が電流を検知し、その検知信号を出力（ＳＴ１７）する。その検知信号により電流検出手段６３は、電流が流れたことを検出（ＳＴ１８）する。
【００９５】
電流検出手段６３が、電流が流れたことを検出すると、制御手段５２は光源ユニット４１の発光部４３ｂの点灯を停止（ＳＴ１９）する。これは、掃除を開始すると使用者は殆ど集塵ユニットを視認することがなくなるので、不要な電力消費を抑えるためである。
【００９６】
以上のように、本発明の実施の形態２に係る電気掃除機では、本発明の実施の形態１に係る電気掃除機で得られる効果に加え、電動送風機の駆動が開始されると光源ユニットの発光部の点灯を停止するようにしたので、不要な電力の消費を抑えることができる。
【００９７】
実施の形態３．
（光源ユニットの発光制御）
本発明の実施の形態３に係る電気掃除機は、本発明の実施の形態２に係る電気掃除機の構成に、さらにタイマー手段６４を備える構成であり、それ以外の電気掃除機本体６の構造は本発明の実施の形態１及び２に係る電気掃除機と同様の構成である。
【００９８】
よって、ここでは本発明の実施の形態２に係る電気掃除機と異なる箇所について図１９によって説明し、動作については図２０によって説明して、それ以外の電気掃除機本体６の説明は省略する。
【００９９】
図１９は本発明の実施の形態３に係る電気掃除機の電気的構成を示すブロック図である。図２０は本発明の実施の形態３に係る電気掃除機の動作を示すフローチャートである。
【０１００】
タイマー手段６４は、光源ユニット４１の発光部４３ｂの点灯停止を遅延するためのものである。タイマー手段６４は、制御手段５２とともにマイコン６１に包含される。
【０１０１】
次に図２０で動作を説明する。まず、電源コード２１の電源プラグ１２がコンセントに接続されると、電源同期検出手段５３が商用電源９９の同期ポイント（ゼロクロスポイント）を検出する（ＳＴ３１）。
【０１０２】
電源同期検出手段５３が商用電源９９の同期ポイント（ゼロクロスポイント）を検出すると、商用電源９９に接続されたことを制御手段５２が確認（ＳＴ３２）し、制御手段５２が光源ユニット４１の発光部４３ｂを点灯させる（ＳＴ３３）。
【０１０３】
この状態で、例えば塵埃が集塵室３２の半分程度蓄積した状態、言い替えると蓄積された塵埃により発光部４３ｂが半分程度隠れている状態では、使用者が光源ユニット４１の発光部４３ｂが点灯していることを視認でき、まだ塵埃を廃棄しなくても掃除ができると判断でき、集塵ユニット８を取り外すことなく掃除を行うことができる。
【０１０４】
この状態で、例えば塵埃を集塵室３２の塵埃捕集量の上限まで捕集した状態、言い替えると蓄積された塵埃により発光部４３ｂの全域が隠れている状態では、使用者が光源ユニット４１の発光部４３ｂが点灯していることを視認できないので、掃除を行う前に塵埃を廃棄しなければならないと判断でき、集塵ユニット８を取り外す。
【０１０５】
集塵ユニット８が取り外されると、集塵ユニット着脱センサー５５がその信号を集塵ユニット着脱検出手段５６に送り、集塵ユニット着脱検出手段５６は、集塵ユニット８が取り外されたことを検出（ＳＴ３４）し、制御手段５２が光源ユニット４１の発光部４３ｂの点灯を停止（ＳＴ４１）する。
【０１０６】
集塵ユニット８から塵埃を廃棄した後、再び集塵ユニット８を取り付けると、集塵ユニット着脱センサー５５がその信号を集塵ユニット着脱検出手段５６に送り、集塵ユニット着脱検出手段５６が、集塵ユニット８が取り付けられたことを検出（ＳＴ４２）し、ＳＴ３３に戻り、制御手段５２が光源ユニット４１の発光部４３ｂを点灯させる。
【０１０７】
集塵ユニット８が取り外されない、あるいは再び取り付けられてから、操作スイッチ（第１のスイッチ）４ａを操作（ＳＴ３５）すると、制御手段５２が電動送風機２３を起動し駆動が開始（ＳＴ３６）される。
【０１０８】
電動送風機２３が駆動すると、電流センサー６２が電流を検知し、その検知信号を出力（ＳＴ３７）する。その検知信号により電流検出手段６３は、電流が流れたことを検出（ＳＴ３８）する。
【０１０９】
電流が流れたことを電流検出手段６３が検出すると、制御手段５２は、光源ユニット４１の発光部４３ｂの点灯を停止するまでの時間をカウント（ＳＴ３９）するようタイマー手段６４に指示する。この時間は、例えば１５秒というように予め設定された時間である。
【０１１０】
そして、予め設定された時間が経過した後、制御手段５２は光源ユニット４１の発光部４３ｂの点灯を停止（ＳＴ４０）する。
【０１１１】
以上のように、本発明の実施の形態３に係る電気掃除機では、本発明の実施の形態１及び２に係る電気掃除機で得られる効果に加え、電動送風機の駆動が開始されると、一定の時間が経過した後に光源ユニットの発光部の点灯を停止するようにしたので、使用者が掃除を開始した後に確実に点灯を停止でき、使用者が操作スイッチを操作して集塵ユニットを視認しているときに点灯が停止するときの違和感をなくすことができる。
【０１１２】
実施の形態４．
（光源ユニットの発光制御）
本発明の実施の形態４に係る電気掃除機は、本発明の実施の形態２に係る電気掃除機の構成の電流検出手段６３を、起動検出手段７２に換えた構成であり、それ以外の電気掃除機本体６の構造は本発明の実施の形態１から３に係る電気掃除機と同様の構成である。
【０１１３】
よって、ここでは本発明の実施の形態２に係る電気掃除機と異なる箇所について図２１によって説明し、動作については図２２によって説明して、それ以外の電気掃除機本体６の説明は省略する。
【０１１４】
図２１は本発明の実施の形態４に係る電気掃除機の電気的構成を示すブロック図である。図２２は本発明の実施の形態４に係る電気掃除機の動作を示すフローチャートである。
【０１１５】
起動検出手段７２は、電流センサー６２の検知結果を基に電動送風機２３が起動したことを検出する。起動検出手段７２は、制御手段５２とともにマイコン７１に包含される。
【０１１６】
次に図２２で動作を説明する。まず、電源コード２１の電源プラグ１２がコンセントに接続されると、電源同期検出手段５３が商用電源９９の同期ポイント（ゼロクロスポイント）を検出する（ＳＴ５１）。
【０１１７】
電源同期検出手段５３が商用電源９９の同期ポイント（ゼロクロスポイント）を検出すると、商用電源９９に接続されたことを制御手段５２が確認（ＳＴ５２）し、制御手段５２が光源ユニット４１の発光部４３ｂを点灯させる（ＳＴ５３）。
【０１１８】
この状態で、例えば塵埃が集塵室３２の半分程度蓄積した状態、言い替えると蓄積された塵埃により発光部４３ｂが半分程度隠れている状態では、使用者が光源ユニット４１の発光部４３ｂが点灯していることを視認でき、まだ塵埃を廃棄しなくても掃除ができると判断でき、集塵ユニット８を取り外すことなく掃除を行うことができる。
【０１１９】
この状態で、例えば塵埃を集塵室３２の塵埃捕集量の上限まで捕集した状態、言い替えると蓄積された塵埃により発光部４３ｂの全域が隠れている状態では、使用者が光源ユニット４１の発光部４３ｂが点灯していることを視認できないので、掃除を行う前に塵埃を廃棄しなければならないと判断でき、集塵ユニット８を取り外す。
【０１２０】
集塵ユニット８が取り外されると、集塵ユニット着脱センサー５５がその信号を集塵ユニット着脱検出手段５６に送り、集塵ユニット着脱検出手段５６は、集塵ユニット８が取り外されたことを検出（ＳＴ５４）し、制御手段５２が光源ユニット４１の発光部４３ｂの点灯を停止（ＳＴ６０）する。
【０１２１】
集塵ユニット８から塵埃を廃棄した後、再び集塵ユニット８を取り付けると、集塵ユニット着脱センサー５５がその信号を集塵ユニット着脱検出手段５６に送り、集塵ユニット着脱検出手段５６が、集塵ユニット８が取り付けられたことを検出（ＳＴ６１）し、ＳＴ５３に戻り、制御手段５２が光源ユニット４１の発光部４３ｂを点灯させる。
【０１２２】
集塵ユニット８が取り外されない、あるいは再び取り付けられてから、操作スイッチ（第１のスイッチ）４ａを操作（ＳＴ５５）すると、制御手段５２が電動送風機２３を起動し駆動が開始（ＳＴ５６）される。
【０１２３】
電動送風機２３が駆動すると、電流センサー６２が電流を検知し、その検知信号を出力（ＳＴ５７）する。その検知信号により起動検出手段７２は、電動送風機２３が起動したことを検出（ＳＴ５８）する。
【０１２４】
起動検出手段７２が、電動送風機２３が起動したことを検出すると、制御手段５２は光源ユニット４１の発光部４３ｂの点灯を停止（ＳＴ５９）する。これは、掃除を開始すると使用者は殆ど集塵ユニットを視認することがなくなるので、不要な電力消費を抑えるためである。
【０１２５】
以上のように、本発明の実施の形態４に係る電気掃除機では、本発明の実施の形態１に係る電気掃除機で得られる効果に加え、電動送風機の起動が検出されると光源ユニットの発光部の点灯を停止するようにしたので、不要な電力の消費を抑えることができる。
【０１２６】
実施の形態５．
（光源ユニットの発光制御）
本発明の実施の形態５に係る電気掃除機は、本発明の実施の形態４に係る電気掃除機の構成に、さらにタイマー手段６４を備える構成であり、それ以外の電気掃除機本体６の構造は本発明の実施の形態１から４に係る電気掃除機と同様の構成である。
【０１２７】
よって、ここでは本発明の実施の形態４に係る電気掃除機と異なる箇所について図２３によって説明し、動作については図２４によって説明して、それ以外の電気掃除機本体６の説明は省略する。
【０１２８】
図２３は本発明の実施の形態５に係る電気掃除機の電気的構成を示すブロック図である。図２４は本発明の実施の形態５に係る電気掃除機の動作を示すフローチャートである。
【０１２９】
タイマー手段６４は、光源ユニット４１の発光部４３ｂの点灯停止を遅延するためのものである。タイマー手段６４は、制御手段５２とともにマイコン７１に包含される。
【０１３０】
次に図２４で動作を説明する。まず、電源コード２１の電源プラグ１２がコンセントに接続されると、電源同期検出手段５３が商用電源９９の同期ポイント（ゼロクロスポイント）を検出する（ＳＴ７１）。
【０１３１】
電源同期検出手段５３が商用電源９９の同期ポイント（ゼロクロスポイント）を検出すると、商用電源９９に接続されたことを制御手段５２が確認（ＳＴ７２）し、制御手段５２が光源ユニット４１の発光部４３ｂを点灯させる（ＳＴ７３）。
【０１３２】
この状態で、例えば塵埃が集塵室３２の半分程度蓄積した状態、言い替えると蓄積された塵埃により発光部４３ｂが半分程度隠れている状態では、使用者が光源ユニット４１の発光部４３ｂが点灯していることを視認でき、まだ塵埃を廃棄しなくても掃除ができると判断でき、集塵ユニット８を取り外すことなく掃除を行うことができる。
【０１３３】
この状態で、例えば塵埃を集塵室３２の塵埃捕集量の上限まで捕集した状態、言い替えると蓄積された塵埃により発光部４３ｂの全域が隠れている状態では、使用者が光源ユニット４１の発光部４３ｂが点灯していることを視認できないので、掃除を行う前に塵埃を廃棄しなければならないと判断でき、集塵ユニット８を取り外す。
【０１３４】
集塵ユニット８が取り外されると、集塵ユニット着脱センサー５５がその信号を集塵ユニット着脱検出手段５６に送り、集塵ユニット着脱検出手段５６は、集塵ユニット８が取り外されたことを検出（ＳＴ７４）し、制御手段５２が光源ユニット４１の発光部４３ｂの点灯を停止（ＳＴ８１）する。
【０１３５】
集塵ユニット８から塵埃を廃棄した後、再び集塵ユニット８を取り付けると、集塵ユニット着脱センサー５５がその信号を集塵ユニット着脱検出手段５６に送り、集塵ユニット着脱検出手段５６が、集塵ユニット８が取り付けられたことを検出（ＳＴ８２）し、ＳＴ７３に戻り、制御手段５２が光源ユニット４１の発光部４３ｂを点灯させる。
【０１３６】
集塵ユニット８が取り外されない、あるいは再び取り付けられてから、操作スイッチ（第１のスイッチ）４ａを操作（ＳＴ７５）すると、制御手段５２が電動送風機２３を起動し駆動が開始（ＳＴ７６）される。
【０１３７】
電動送風機２３が駆動すると、電流センサー６２が電流を検知し、その検知信号を出力（ＳＴ７７）する。その検知信号により起動検出手段７２は、電動送風機２３が起動したことを検出（ＳＴ７８）する。
【０１３８】
電動送風機２３が起動したことを起動検出手段７２が検出すると、制御手段５２は、光源ユニット４１の発光部４３ｂの点灯を停止するまでの時間をカウント（ＳＴ７９）するようタイマー手段６４に指示する。この時間は、例えば１５秒というように予め設定された時間である。
【０１３９】
そして、予め設定された時間が経過した後、制御手段５２は光源ユニット４１の発光部４３ｂの点灯を停止（ＳＴ８０）する。
【０１４０】
以上のように、本発明の実施の形態５に係る電気掃除機では、本発明の実施の形態１及び４に係る電気掃除機で得られる効果に加え、電動送風機の駆動が開始されると、一定の時間が経過した後に光源ユニットの発光部の点灯を停止するようにしたので、使用者が掃除を開始した後に確実に点灯を停止でき、使用者が操作スイッチを操作して集塵ユニットを視認しているときに点灯が停止するときの違和感をなくすことができる。
【０１４１】
実施の形態６．
（光源ユニットの発光制御）
本発明の実施の形態６に係る電気掃除機は、本発明の実施の形態１に係る電気掃除機の構成に、さらに操作スイッチ操作有無検出手段８２とタイマー手段８３とを備える構成であり、それ以外の電気掃除機本体６の構造は本発明の実施の形態１に係る電気掃除機と同様の構成である。
【０１４２】
よって、ここでは本発明の実施の形態１に係る電気掃除機と異なる箇所について図２５によって説明し、動作については図２６によって説明して、それ以外の電気掃除機本体６の説明は省略する。
【０１４３】
図２５は本発明の実施の形態６に係る電気掃除機の電気的構成を示すブロック図である。図２６は本発明の実施の形態６に係る電気掃除機の動作を示すフローチャートである。
【０１４４】
操作スイッチ操作有無検出手段８２は、例えば操作スイッチ（第１のスイッチ）４ａ、操作スイッチ（第２のスイッチ）４ｄが操作されたことを検出する。操作スイッチ操作有無検出手段８２は、制御手段５２とともにマイコン８１に包含される。
【０１４５】
タイマー手段８３は、光源ユニット４１の発光部４３ｂを、点滅から点灯に切替える時間をカウントするためのものである。タイマー手段８３は、制御手段５２とともにマイコン８１に包含される。
次に図２６で動作を説明する。まず、電源コード２１の電源プラグ１２がコンセントに接続されると、電源同期検出手段５３が商用電源９９の同期ポイント（ゼロクロスポイント）を検出する（ＳＴ１１１）。
【０１４６】
電源同期検出手段５３が商用電源９９の同期ポイント（ゼロクロスポイント）を検出すると、商用電源９９に接続されたことを制御手段５２が確認（ＳＴ１１２）し、制御手段５２が光源ユニット４１の発光部４３ｂを点灯させる（ＳＴ１１３）。
【０１４７】
この状態で、例えば塵埃が集塵室３２の半分程度蓄積した状態、言い替えると蓄積された塵埃により発光部４３ｂが半分程度隠れている状態では、使用者が光源ユニット４１の発光部４３ｂが点灯していることを視認でき、まだ塵埃を廃棄しなくても掃除ができると判断でき、集塵ユニット８を取り外すことなく掃除を行うことができる。
【０１４８】
この状態で、例えば塵埃を集塵室３２の塵埃捕集量の上限まで捕集した状態、言い替えると蓄積された塵埃により発光部４３ｂの全域が隠れている状態では、使用者が光源ユニット４１の発光部４３ｂが点灯していることを視認できないので、掃除を行う前に塵埃を廃棄しなければならないと判断でき、集塵ユニット８を取り外す。
【０１４９】
集塵ユニット８が取り外されると、集塵ユニット着脱センサー５５がその信号を集塵ユニット着脱検出手段５６に送り、集塵ユニット着脱検出手段５６は、集塵ユニット８が取り外されたことを検出（ＳＴ１１４）し、制御手段５２が光源ユニット４１の発光部４３ｂの点灯を停止（ＳＴ１２４）する。
【０１５０】
集塵ユニット８から塵埃を廃棄した後、再び集塵ユニット８を取り付けると、集塵ユニット着脱センサー５５がその信号を集塵ユニット着脱検出手段５６に送り、集塵ユニット着脱検出手段５６が、集塵ユニット８が取り付けられたことを検出（ＳＴ１２５）し、ＳＴ１１３に戻り、制御手段５２が光源ユニット４１の発光部４３ｂを点灯させる。
【０１５１】
集塵ユニット８が取り外されない、あるいは再び取り付けられてから、操作スイッチ（第１のスイッチ）４ａを操作（ＳＴ１１５）すると、操作スイッチ操作有無検出手段８２が、スイッチ操作があったことを検出（ＳＴ１１６）し、制御手段５２が電動送風機２３を起動し駆動が開始（ＳＴ１１７）される。
【０１５２】
電動送風機２３が駆動すると、制御手段５２は光源ユニット４１の発光部４３ｂの点灯を停止（ＳＴ１１８）する。
【０１５３】
その後、操作スイッチ（第２のスイッチ）４ｄを操作（ＳＴ１１９）すると、操作スイッチ操作有無検出手段８２が、スイッチ操作があったことを検出（ＳＴ１２０）し、制御手段５２が電動送風機２３の駆動を停止（ＳＴ１２１）して、光源ユニット４１の発光部４３ｂを点滅（ＳＴ１２２）させる。
【０１５４】
光源ユニット４１の発光部４３ｂを点滅（ＳＴ１２２）させると、制御手段５２はタイマー手段８３に光源ユニット４１の発光部４３ｂの点滅から点灯に移行するまでの時間をカウント（ＳＴ１２３）するよう指示する。この時間は、例えば１５秒というように予め設定された時間である。
【０１５５】
そして、予め設定された時間が経過した後、ＳＴ１１３に戻り、制御手段５２が光源ユニット４１の発光部４３ｂを点滅から点灯状態にする。
【０１５６】
以上のように、本発明の実施の形態６に係る電気掃除機では、本発明の実施の形態１に係る電気掃除機で得られる効果に加え、電動送風機の起動が検出されると光源ユニットの発光部の点灯を停止するようにしたので、不要な電力の消費を抑えることができる。
【０１５７】
また、操作スイッチを操作して電動送風機の駆動が停止されると光源ユニットの発光部が点滅するので、使用者の意識を集塵ユニットに向けることができ、塵埃を廃棄するか否かの意識付けを使用者に行える。
【０１５８】
そして、光源ユニットの発光部が点滅した後点灯するようにしたので、使用者が集塵ユニットの集塵室に捕集された塵埃の量を確認できるので、利便性が向上する。
【符号の説明】
【０１５９】
１  吸込具、２  延長管、３  把持部、４  操作部、４ａ  操作スイッチ（第１のスイッチ）、４ｂ  操作スイッチ、４ｃ  操作スイッチ、４ｄ  操作スイッチ（第２のスイッチ）、５  ホース、５ａ  ホース挿入部、６  電気掃除機本体、６ａ  集塵ユニット収容部、７  接続部、７ａ  連通口、８  集塵ユニット、８ａ  手掛け（指掛け）部、８ｂ  集塵ユニット上部、８ｃ  蓋部、９  ハンドル、１０  前輪、１１  後輪、１２  電源プラグ、１３  電源コード巻き取りボタン、２１  電源コード、２２  コードリール、２３  電動送風機、２４  制御基板、２５  本体吸込み口、２６  吸気側フィルター、２７  排気側フィルター、２８  本体排気口、３１  集塵ユニット吸込み口、３２  集塵室、３２ａ  係止部、３２ｂ  空間、３３  旋回部、３４  塵埃排出口ａ、３５  塵埃排出口ｂ、３６  排気筒、３６ａ  小孔、３７  集塵ユニット排出口、３８  係止解除ボタン、３９  塵埃廃棄目安表示（塵埃捕集量の上限表示）、４０  シールパッキン、４１  光源ユニット、４２  光源、４３  導光部材、４３ａ  発光部起点、４３ｂ  発光部、５１  マイコン、５２  制御手段、５３  電源同期検出手段、５４  双方向サイリスタ、５５  集塵ユニット着脱センサー、５６  集塵ユニット着脱検出手段、６１  マイコン、６２  電流センサー、６３  電流検出手段、６４  タイマー手段、７１  マイコン、７２  起動検出手段、８１  マイコン、８２  操作スイッチ操作有無検出手段、８３  タイマー手段、９９  商用電源、１００  電気掃除機
【図１】
0006428447.tif 000002
【図２】
0006428447.tif 000003
【図３】
0006428447.tif 000004
【図４】
0006428447.tif 000005
【図５】
0006428447.tif 000006
【図６】
0006428447.tif 000007
【図７】
0006428447.tif 000008
【図８】
0006428447.tif 000009
【図９】
0006428447.tif 000010
【図１０】
0006428447.tif 000011
【図１１】
0006428447.tif 000012
【図１２】
0006428447.tif 000013
【図１３】
0006428447.tif 000014
【図１４】
0006428447.tif 000015
【図１５】
0006428447.tif 000016
【図１６】
0006428447.tif 000017
【図１７】
0006428447.tif 000018
【図１８】
0006428447.tif 000019
【図１９】
0006428447.tif 000020
【図２０】
0006428447.tif 000021
【図２１】
0006428447.tif 000022
【図２２】
0006428447.tif 000023
【図２３】
0006428447.tif 000024
【図２４】
0006428447.tif 000025
【図２５】
0006428447.tif 000026
【図２６】
0006428447.tif 000027